(57)【要約】【課題】塩化ナトリウム水溶液を電気分解した電解次亜水を用いて、安価な設備で効率的に脱臭可能な脱臭方法と装置を提供する。【解決手段】塩化ナトリウム水溶液又は海水を電気分解した電解次亜水２２を溜めた脱臭タンク２０と、脱臭タンク２０内に設けられ微細な気泡として空気を噴出する微細気泡ノズル２４と、この微細気泡ノズル２４へ悪臭を含む空気を送る送気ファン４０を備える。【選択図】図１
2009142780.tif 000002
【特許請求の範囲】
【請求項１】
塩化ナトリウムが溶解している水溶液又は海水を電気分解した電解次亜水を溜めた脱臭タンクを設け、この脱臭タンク内に悪臭を含む空気を送り込み微細な気泡にして上昇させ、悪臭を前記電解次亜水により分解して脱臭することを特徴とする脱臭方法。
【請求項２】
塩化ナトリウムが溶解している水溶液又は海水を電気分解した電解次亜水を溜めた脱臭タンクと、この脱臭タンク内に設けられ微細な気泡として空気を噴出する微細気泡ノズルと、この微細気泡ノズルへ悪臭を含む空気を送る送気ファンとを備えたことを特徴とする脱臭装置。
【請求項３】
前記微細気泡ノズルは、前記脱臭タンクの前記電解次亜水表面近傍に位置して排気を噴射させる請求項２記載の脱臭装置。
【発明の詳細な説明】
【技術分野】
【０００１】
この発明は、窒素化合物等による臭いを、次亜塩素酸水を用いて除去する脱臭装置と脱臭方法に関する。
【背景技術】
【０００２】
従来、汚水処理施設や養鶏・養豚場、生ゴミ処理施設等の廃棄物処理施設における排気の悪臭を除去する装置として、次亜塩素酸を用いたものが提供されている。例えば、特許文献１に開示されているように、これらの施設から排気される空気を次亜塩素酸水のシャワーが散水される薬液散水塔内に送気し、薬液に悪臭の基になるガスを吸着させて溶解し分解させるものである。
【０００３】
この脱臭方法は、まず、食塩水を電気分解して、塩素イオンが次の反応により次亜塩素酸となった強酸化性のいわゆる電解次亜水を生成する。この反応は以下の通りである。
【０００４】
２Ｃｌ−→Ｃｌ２＋２ｅ−          （１）
Ｃｌ２＋Ｈ２Ｏ→ＨＣｌ＋ＨＣｌＯ        （２）
そして、電解次亜水により例えばアンモニアを分解する場合、以下の式の反応となる。
【０００５】
２ＮＨ３＋ＨＣｌＯ→Ｎ２＋３ＨＣｌ＋３Ｈ２Ｏ      （３）
上記式（３）の通り、アンモニアは、窒素ガスと塩酸及び水になり、容易に処理される。
【特許文献１】特表２０００−１６７３４４号公報
【発明の開示】
【発明が解決しようとする課題】
【０００６】
特許文献１に開示された装置の場合、シャワーにより悪臭を含む空気と次亜塩素酸水との接触面積が十分に得られず、悪臭の除去効果が低く、活性炭のフィルター等の処理設備をさらに必要とするものであった。従って、処理施設全体として散水塔等の大きな設備を複数必要としコストがかかる上、運転の維持管理にもコストがかかるものであった。
【０００７】
この発明は上記背景技術に鑑みてなされたものであり、塩化ナトリウム水溶液を電気分解した電解次亜水を用いて、安価な設備で効率的に脱臭可能な脱臭方法と装置を提供することを目的とする。
【課題を解決するための手段】
【０００８】
この発明は、塩化ナトリウムが溶解している水溶液又は海水を電気分解した電解次亜水を溜めた脱臭タンクを設け、この脱臭タンク内に悪臭を含む空気を送り込み微細な気泡にして上昇させ、悪臭を前記電解次亜水により分解して脱臭する脱臭方法である。
【０００９】
またこの発明は、塩化ナトリウムが溶解している水溶液又は海水を電気分解した電解次亜水を溜めた脱臭タンクと、この脱臭タンク内に設けられ微細な気泡として空気を噴出する微細気泡ノズルと、この微細気泡ノズルへ悪臭を含む空気を送る送気ファンとを備えた脱臭装置である。
【００１０】
前記微細気泡ノズルは、前記脱臭タンクの前記電解次亜水表面近傍に位置して排気を噴射させるものでも良い。
【発明の効果】
【００１１】
この発明の脱臭装置と脱臭方法によれば、悪臭を含む空気と電解次亜水との接触面積を大きくすることができ、効率的に脱臭が可能であるとともに、脱臭対象の施設に合わせて、任意の規模の脱臭設備を安価に構築することができる。
【発明を実施するための最良の形態】
【００１２】
以下、この発明の一実施形態について図面に基づいて説明する。図１、図２は、この実施形態の脱臭装置１０を示すもので、この脱臭装置１０の基本構成は、図１に示すように、飽和食塩水を収容してタンク１２と、タンク１２から飽和食塩水が送られて３％の食塩水にする希釈用のタンク１４を備え、３％食塩水を電気分解する電解槽１６が設けられている。電解槽１６は電気分解により食塩水から電解次亜水２２を製造し、次亜水タンク１８に蓄える。そして、電解次亜水２２は、脱臭タンク２０に入れられ、図示しないポンプにより循環する。
【００１３】
脱臭タンク２０には、微細気泡ノズル２４が底部近傍に設けられ、微細気泡ノズル２４には、悪臭の発生源である堆肥や養豚場等の建物からの排気が、排気ダクト２６を介して送り込まれる。また、脱臭タンク２０には、ｐＨ調整用に塩酸等を供給する薬注タンク１９も接続されている。従って、この発明の電解次亜水はもともとアルカリ性であるが、中性のものや、ｐＨ調整された弱酸性のものから強酸性の次亜塩素酸水までを含むものである。
【００１４】
この脱臭装置１０を利用した脱臭用のプラントとしては、図２に示すような脱臭プラント３０がある。脱臭プラント３０は、電解次亜水２２を溜めた気泡塔３２と、気泡塔３２の上部に位置し、ミストを集めるデミスタ３４、及びデミスタ３４の上方で、悪臭を最終的に除去するシャワー部３６と、シャワー部３６の上方に位置しミストを除去するミスとセパレータ３８を備えている。
【００１５】
気泡塔３２には、悪臭を含んだ排気を送り込む送気ファン４０を介して排気ダクト２６が接続され、電解次亜水２２中に位置した微細気泡ノズル２４に繋がっている。送気ポンプ４０の能力は、電解次亜水２２内に送り込む排気の量と微細気泡ノズル２４による圧力損失や次亜塩素酸水２２内の圧力等を考慮して設定する。
【００１６】
気泡塔３２には、電解次亜水２２を循環させる循環ポンプ４２と、循環する電解次亜水２２中の埃等を除去する濾過器４４を備えている。さらに、電解次亜水２２をシャワー部３６のシャワーノズル３６ａに送るシャワーポンプ４６が設けられている。なお、シャワーノズル３６ａは気泡塔３２の上方に設けても良い。
【００１７】
さらに、気泡塔３２には、電解次亜水２２を生成する図示しない電解槽を内蔵した補給部４８が接続されている。補給部４８には、気泡塔３２内の電解次亜水２２に所定のｐＨ調整剤等の薬剤を注入する図示しない薬注タンクが設けられ、必要に応じて電解次亜水２２を電解槽から補給可能に設けられている。そして補給部４８には補給ポンプ５０が接続されている。
【００１８】
次に、この実施形態の脱臭方法について説明する。この実施形態の脱臭方法は、悪臭を含む排気を送気ポンプ４０により微細気泡ノズル２４に送り込み、電解次亜水２２中に微細な気泡を噴射する。微細気泡ノズル２４は、公知の構造を適宜選択し得る。噴射された微細な気泡は、例えば数ｍｍから数μｍ程度の気泡であり、電解次亜水２２に接触している部分から悪臭の基となっているアンモニアやその他悪臭の有機成分等が分解される。このとき、微細な泡は、気泡の上昇が遅く、電解次亜水２２に悪臭のある空気が接触している時間も長くなり、より脱臭効果が高いものとなる。
【００１９】
この実施形態の脱臭方法と装置によれば、電解次亜水２２を溜めた脱臭タンク２０に悪臭を含む排気を送り込んで、気泡から電解次亜水２２中に悪臭の元となっている分子を溶解させるだけで、確実に分解され、脱臭が行われる。また、装置は、気泡を発生させる微細気泡ノズル２４を設けるだけで良く、特別の装置を必要とするものではない。
【００２０】
なお、この発明の脱臭方法と装置は、上記実施形態に限らず、微細気泡ノズルは、電解次亜水の表面近傍にあっても良く、その場合、水圧が低く大量の気体を噴出させ、処理することができる。さらに、図1の破線で示すように、次亜水タンクからの電解次亜水を排気ダクトに合流させて、排気と電解次亜水を同時に混合して噴出させても良い。これより、電解次亜水と排気がより効率的に接触し合い、効果的に脱臭される。また、塩化ナトリウムが溶解している水溶液は、海洋深層水等の海水でも良く、塩化ナトリウムを含む液体であればよい。
【実施例１】
【００２１】
この発明の脱臭方法と装置の実施例について以下に説明する。ここでは、排気のアンモニア濃度が約７００ｐｐｍの空気について脱臭した。脱臭タンク２０内には２０００Ｌ（リットル）の電解次亜水を溜めた。この電解次亜水の有効塩素濃度は８０ｐｐｍでありｐＨ調整により弱酸性のｐＨ６であった。
【００２２】
【表１】
2009142780.tif 000003
【図面の簡単な説明】
【００２３】
【図１】この発明の脱臭装置の基本構成を示すブロック図である。
【図２】この発明の一実施形態の脱臭装置を示す概略図である。
【符号の説明】
【００２４】
１０  脱臭装置
１２，１４  食塩水タンク
１６  電解槽
１８  次亜水タンク
２０  脱臭タンク
２２  電解次亜水
２４  微細気泡ノズル
２６  排気ダクト
【図１】
2009142780.tif 000004
【図２】
2009142780.tif 000005